(57)【要約】【課題】親機に対として設定されていない無線子機が誤載置された場合にリダイヤル操作が行われても、利用者が混乱しない電話システムを提供する。【解決手段】  親機３０Ａに無線子機４０Ｂが誤載置された場合に、その無線子機４０Ｂからリダイヤル操作が行われると、主装置１０の制御部１５は、記憶部１６のリダイヤルバッファ１６Ａから親機３０Ａと対となる無線子機４０Ａのリダイヤルデータ、すなわち最新の発信履歴を検出し、その発信履歴に対応するダイヤルを選択して発信する。【選択図】  図４
2005051717.tif 000002
【特許請求の範囲】
【請求項１】
電話回線に接続される主装置と、この主装置に伝送路を介して収容される複数のボタン電話子機とを備え、前記電話回線と前記ボタン電話子機との間を主装置で交換接続するとともに前記ボタン電話子機で発信した際の相手先ダイヤル情報をリダイヤルデータとして記憶可能な電話システムであって、少なくとも２以上の前記ボタン電話子機は、それぞれ前記主装置に前記伝送路を介して接続される親機とこの親機と対をなして無線接続される無線子機とからなり、前記親機は前記無線子機を載置する載置場所を有する電話システムにおいて、
親機と、この親機に載置された無線子機とが対をなさない場合に誤載置と判定する判定手段と、
前記判定手段により誤載置であると判定された親機および無線子機のいずれか一方からのリダイヤル操作に応じて、前記親機が属するボタン電話子機に対応するリダイヤルデータを選択する制御手段と
を備えることを特徴とする電話システム。
【請求項２】
請求項１記載の電話システムにおいて、
前記制御手段は、前記判定手段により誤載置であると判定された前記無線子機からのリダイヤル操作に応じて、前記親機が属するボタン電話子機の無線子機に対応するリダイヤルデータを選択する
ことを特徴とする電話システム。
【請求項３】
請求項１または２記載の電話システムにおいて、
前記判定手段は、前記主装置に設けられ、親機からこの親機に無線子機が載置されたことに関する情報を受信した後、所定時間内に前記無線子機からのオンフック通知を受信すると、前記親機に前記無線子機が載置されたと特定し、前記無線子機と前記親機とが対であるか否かを判定する
ことを特徴とする電話システム。
【請求項４】
請求項１または２記載の電話システムにおいて、
前記親機および前記無線子機のリダイヤルデータをそれぞれ区別して記憶するリダイヤルバッファ
をさらに備えることを特徴とする電話システム。
【発明の詳細な説明】
【技術分野】
【０００１】
本発明は、電話システムに関し、特に内線電話機として、親機と無線子機とからなるボタン電話子機を有する電話システムに関するものである。
【背景技術】
【０００２】
網からの電話回線に接続された主装置と、この主装置に内線収容された複数の内線電話機とからなり、電話回線と内線電話機との間を主装置で交換接続するボタン電話装置などの電話システムでは、内線電話機の一部または全部にボタン電話子機を用いる場合がある（例えば、特許文献１参照）。
この種のボタン電話子機は、親機とその親機の上に載置されるハンドセット型の無線子機とから構成されている。一般的な内線電話機では、当該内線電話機とハンドセットとがカールコードにより有線で接続されているが、この種のボタン電話子機では、親機と無線子機との間が、予め設定された当該ボタン電話子機に固有のシステムＩＤを用いた無線回線で接続されている。親機は、有線の内線伝送路で主装置と接続されており、主装置とデータ通信を行うことにより、一般的な内線電話機と同様の電話機能を提供する。
【０００３】
この電話システムで用いられているボタン電話子機では、親機側に無線子機を載置して充電などを行う充電台すなわち載置場所が設けられている。通常、未使用時には親機の載置場所に無線子機が載置されるものの、無線子機は親機と無線接続されるため、利用者は、必要に応じて親機からある程度離れた場所へ無線子機を持ち運ぶことができ、場所に囚われずに通話することが可能になる。したがって、ボタン電話子機を親機と無線子機とから構成することにより、使い勝手を向上させることができる。
【０００４】
なお、出願人は、本明細書に記載した先行技術文献情報で特定される先行技術文献以外には、本発明に関連する先行技術文献を出願時までに発見するには至らなかった。
【特許文献１】特開２０００−３５０２４３号公報
【発明の開示】
【発明が解決しようとする課題】
【０００５】
しかしながら、上述した従来の電話システムでは、無線子機を持ち運ぶことが可能なため、無線子機が他の親機（別親）に載置される場合（誤載置）がある。例えば、無線子機での通話の内容に応じて利用者が他の部屋へ移動し、その移動先の部屋に設置されている別親に無線子機が載置されていない場合に、終話に応じてその無線子機を移動先の別親上へ誤って載置してしまうことが考えられる。この誤載置が行われた場合にリダイヤル操作が行われると、従来の電話システムでは、意図していた相手先に電話がつながらず、結果として利用者が混乱してしまうことがあった。
【０００６】
一例として、親機Ａと無線子機ａとが対となるボタン電話子機Ａと、親機Ｂと無線子機ｂとが対となるボタン電話子機Ｂとが主装置に収容された電話システムにおいて、親機Ａに無線子機ｂが誤載置されている場合を仮定する。
ここで、利用者が、無線子機ｂでリダイヤル操作を行うと、無線子機ｂのリダイヤルが発信される。しかしながら、通常、親機Ａには無線子機ａが載置されているので、利用者は、無線子機ａのつもりで無線子機ｂを操作したとも考えられる。この場合、無線子機ａのリダイヤルではなく無線子機ｂのリダイヤルが発信されるため、意図していたのとは違う相手先に電話がかかってしまった利用者は混乱してしまう。
【０００７】
このように、従来の電話システムでは、親機に他の無線子機が誤載置された場合にリダイヤル操作が行われると、利用者が混乱してしまうことが生じていた。
そこで、本発明は上述したような課題を解決するためになされたものであり、親機に対として設定されていない無線子機が誤載置された場合にリダイヤル操作が行われても、利用者が混乱しない電話システムを提供することを目的とする。
【課題を解決するための手段】
【０００８】
上述したような課題を解決するために、本発明にかかる電話システムは、電話回線に接続される主装置と、この主装置に伝送路を介して収容される複数のボタン電話子機とを備え、電話回線とボタン電話子機との間を主装置で交換接続するとともにボタン電話子機で発信した際の相手先ダイヤル情報をリダイヤルデータとして記憶可能な電話システムであって、少なくとも２以上のボタン電話子機は、それぞれ主装置に伝送路を介して接続される親機とこの親機と対をなして無線接続される無線子機とからなり、親機は無線子機を載置する載置場所を有する電話システムにおいて、親機と、この親機に載置された無線子機とが対をなさない場合に誤載置と判定する判定手段と、判定手段により誤載置であると判定された親機および無線子機のいずれか一方からのリダイヤル操作に応じて、親機が属するボタン電話子機に対応するリダイヤルデータを選択する制御手段とを備えることを特徴とする。
【０００９】
上記電話システムにおいて、制御手段は、判定手段および検出手段により、誤載置ボタン電話子機の親機に載置された無線子機からのリダイヤル操作が検出されると、親機または親機と対をなす無線子機に対応するリダイヤルデータを選択するようにしてもよい。
【００１０】
上記電話システムにおいて、制御手段は、判定手段により誤載置であると判定された無線子機からのリダイヤル操作に応じて、親機が属するボタン電話子機の無線子機に対応するリダイヤルデータを選択するようにしてもよい。
【００１１】
上記電話システムにおいて、親機および無線子機のリダイヤルデータをそれぞれ区別して記憶するリダイヤルバッファをさらに備えるようにしてもよい。
【発明の効果】
【００１２】
本発明によれば、親機に対として設定されていない無線子機が誤載置された場合にリダイヤル操作が行われると、その親機が属するボタン電話子機に対応するリダイヤルデータを選択するので、意図しない相手先のダイヤルが発信されるなどの利用者が混乱してしまう事態を未然に防ぐことができる。
【発明を実施するための最良の形態】
【００１３】
以下、図面を参照して本発明の実施の形態について詳細に説明する。
図１は本実施の形態にかかる電話システムの構成を示すブロック図である。
この電話システムは、網からの１つ以上の電話回線１１に接続された主装置１０と、この主装置１０に内線収容された複数のボタン電話子機２０Ａ，２０Ｂ〜２０Ｎとから構成されており、主装置１０で、電話回線１１とボタン電話子機２０Ａ，２０Ｂ〜２０Ｎの何れかの間における、例えば音声通話やデータ通信などの呼を交換接続する。
【００１４】
主装置１０には、電話回線１１を終端接続する外線インターフェース部（以下、外線Ｉ／Ｆ部という）１２、有線の内線伝送路１７を介してボタン電話子機２０Ａ〜２０Ｎとデータ伝送を行う内線インターフェース部（以下、内線Ｉ／Ｆ部という）１３、これら外線Ｉ／Ｆ部１２と内線Ｉ／Ｆ部１３との間を交換接続するスイッチ１４、主装置１０の各部を制御して、電話回線１１と各ボタン電話子機２０Ａ〜２０Ｎの呼制御を行う制御部１５、および制御部１５での制御に必要な情報やプログラム等を記憶する記憶部１６が設けられている。
特に、制御部１５は、ＣＰＵなどのマイクロプロセッサを有し、記憶部１６のプログラムを読み込んで実行することにより、上記ハードウェアと協働して判定手段を含む各種処理手段を実現し、各種呼制御のほか当該電話システムの各種管理処理を行う。
また、記憶部１６には、ボタン電話子機２０Ａ，２０Ｂ〜２０Ｎが発信した際の相手先ダイヤル情報や発信履歴を記録したリダイヤルバッファ１６Ａが含まれる。
【００１５】
ボタン電話子機２０Ａは、主装置１０と内線伝送路１７を介して接続された親機３０Ａと、この親機３０Ａと無線回線を介して接続されるハンドセット型の無線子機４０Ａとの対から構成されている。この親機３０Ａには、無線子機４０Ａを載置して充電などを行う充電台すなわち載置場所が設けられており、通常、未使用時には親機の載置場所に無線子機が載置されている。
ボタン電話子機２０Ａでは、予め設定された当該ボタン電話子機２０Ａに固有のシステムＩＤを用いて親機３０Ａと無線子機４０Ａとの間で無線通信が行われる。また、ボタン電話子機２０Ｂ〜２０Ｎの構成は、ボタン電話子機２０Ａと同様であり、それぞれ親機３０Ｂ〜３０Ｎと無線子機４０Ｂ〜４０Ｎとの対から構成されている。
【００１６】
図２に親機３０（３０Ａ，３０Ｂ〜３０Ｎ）の構成例を示す。親機３０には、内線インターフェース部（以下、内線Ｉ／Ｆ部という）３１、無線インターフェース部（以下、無線Ｉ／Ｆ部という）３２、音声処理部３３、表示部３４、キー入力部３５、記憶部３６、給電部３７、載置検出部３８、および親機制御部３９が設けられている。
内線Ｉ／Ｆ部３１は、内線伝送路１７を介して主装置１０とデータ伝送を行う回路部である。無線Ｉ／Ｆ部３２は、無線回線を介して無線子機４０（４０Ａ，４０Ｂ〜４０Ｎ）とデータ通信を行う回路部である。音声処理部３３は、親機３０で無線子機すなわちハンドセットを用いずに通話を行うためのスピーカホン機能や各種報知音の生成機能を有する回路部である。
【００１７】
表示部３４は、データ伝送で主装置１０から受け取った指示に基づきＬＥＤ(Light Emitting Diode)やＬＣＤ(Liquid Crystal Display)を制御して各種表示を行う回路部である。キー入力部３５は、利用者によるキー操作を検出する回路部である。記憶部３６は、親機制御部３９での処理動作に用いる各種情報やプログラムを記憶するメモリである。給電部３７は、充電端子３７Ａを介して電気的に接続された無線子機４０の電池を充電するための電力を供給する回路部である。載置検出部３８は当該親機３０に対する無線子機４０の載置有無を検出する回路部である。親機制御部３９は、ＣＰＵなどのマイクロプロセッサを有し、記憶部３６のプログラムを読み込んで実行することにより、上記ハードウェアと協働して親機３０の各部を制御する機能部である。
【００１８】
図３に無線子機４０の構成例を示す。無線子機４０には、無線インターフェース部（以下、無線Ｉ／Ｆ部という）４１、音声処理部４２、電池４３、充電部４４、状態検出部４５、記憶部４６、表示部４７、キー入力部４８、および無線子機制御部４９が設けられている。
無線Ｉ／Ｆ部４１は、無線回線を介して親機３０とデータ通信を行う回路部である。音声処理部４２は、スピーカやマイク（図示せず）を用いた音声通話機能や各種報知音の生成機能を有する回路部である。電池４３は無線子機４０の各部で用いる動作電源を蓄電する回路部である。充電部４４は、充電端子４４Ａを介して親機３０から供給された電力を電池４３へ充電する回路部である。状態検出部４５は、当該無線子機４０のオンフック／オフフックの状態すなわち載置状態を検出する回路部である。
記憶部４６は、無線子機制御部４９での処理動作に用いる各種情報やプログラムを記憶するメモリである。表示部４７は、データ通信で親機３０から受け取った指示に基づきＬＥＤやＬＣＤを制御して各種表示を行う回路部である。キー入力部４８は、利用者によるキー操作を検出する回路部である。
無線子機制御部４９は、ＣＰＵなどのマイクロプロセッサを有し、記憶部４６のプログラムを読み込んで実行することにより、上記ハードウェアと協働して無線子機４０の各部を制御する機能部である。
このような無線子機制御部４９は、状態検出部４５がオフフックまたはオンフックを検出すると、この旨を対となる親機３０に通知する。このオフフック通知またはオンフック通知を受信すると、親機３０の親機制御部３９は、対となる無線子機４０からオフフック通知またはオンフック通知を受信したことを主装置１０に通知する。
【００１９】
状態検出部４５については、公知技術として、親機３０に対する無線子機４０の載置により機械的に動作する例えばフックスイッチ、あるいは電気的に動作するフォトインタラプタなど、一般的なスイッチで実現される例もあり、載置検出部３８でも同様のスイッチを用いてもよい。
また、状態検出部４５として、親機３０と無線子機４０との間で充電動作に用いる充電端子３７Ａと充電端子４４Ａとの電気的接続を検出してもよい。このとき、親機３０の載置検出部３８でも同様に電気的接続を検出するようにしてもよい。
【００２０】
この場合、充電端子３７Ａと充電端子４４Ａとの電気的接続により変化する電気量、例えば電流値や電圧値を、給電部３７や充電部４４から取り込み、その変化に応じて、親機３０に対する無線子機４０の載置有無を検出してもよい。
なお、無線子機４０の電池４３が満充電状態となった場合、親機３０から無線子機４０に対する充電電力はゼロとなる。したがって、例えば充電端子３７Ａ，４４Ａ間に常時所定値以上の電流を流しておく、あるいは所定の電位を印加しておくことにより、満充電状態であっても充電端子３７Ａと充電端子４４Ａとの電気的接続の有無を検出してもよい。
【００２１】
次に、図４〜６を参照して、本実施の形態にかかる電話システムの動作について説明する。
なお、本実施の形態では、発信するリダイヤルのデータには、誤載置であると判定された親機３０が属するボタン電話子機２０に対応するデータを用いる。
【００２２】
まず、図４を参照して、本実施の形態にかかる電話システムにおいて、誤載置された無線子機でリダイヤル操作をした場合の動作について説明する。図４は本実施の形態にかかる電話システムの動作（無線子機リダイヤル）を示すシーケンス図である。
利用者が、親機３０Ａにこの親機３０Ａとは対として設定されていない無線子機４０Ｂを載置（誤載置）すると（ステップＳ１００）、親機３０Ａの親機制御部３９は、載置検出部３８からの出力に基づき任意の無線子機が載置されたことを検出し、給電部３７により載置された無線子機の電池の充電を開始し、この旨を主装置１０に通知する（ステップＳ１０１）。この親機３０Ａからの充電開始通知に応じて、主装置１０の制御部１５は、親機３０Ａに載置された無線子機を特定するために、タイマをスタートする（ステップＳ１０２）。
【００２３】
無線子機４０Ｂの無線子機制御部４９は、状態検出部４５からの出力に基づき任意の親機に載置されたことを検出すると、充電部４４が載置された親機から供給される電力により電池４３に充電を開始するともに、無線Ｉ／Ｆ部４１から無線回線を介して無線子機４０Ｂと対として設定されている親機３０Ｂの無線Ｉ／Ｆ部３２と無線通信を行うことにより、載置されたことの検出をオンフックと見なして通知する（ステップＳ１０３）。
この無線子機４０Ｂからのオンフック通知に応じて、親機３０Ｂの親機制御部３９は、内線Ｉ／Ｆ部３１から内線伝送路１７を介して主装置１０の内線Ｉ／Ｆ部１３とデータ通信を行うことにより、そのオンフックを主装置１０へ通知する（ステップＳ１０４）。
【００２４】
主装置１０の制御部１５は、親機３０Ａの充電開始通知を受信してから所定時間が経過すると、この所定時間内に受信したオンフック通知に基づいて、親機３０Ａに載置された任意の無線子機を特定する。ここでは、所定時間内に無線子機４０Ｂからのオンフック通知を受信しているので、主装置１０の制御部１５は、親機３０Ａに無線子機４０Ｂが載置されたと特定する（ステップＳ１０５）。
【００２５】
親機３０Ａに無線子機４０Ｂが誤載置された状態において、利用者が無線子機４０Ｂで通話を行うために親機３０Ａから無線子機４０Ｂを取り上げると（ステップＳ１０６）、親機３０Ａの親機制御部３９は、載置検出部３８からの出力に基づき載置されていた無線子機が取り上げられたことを検出し、この旨を主装置１０に通知する（ステップＳ１０７）。また、無線子機４０Ｂの無線子機制御部４９は、状態検出部４５からの出力に基づき、任意の親機から取り上げられたことを検出すると、無線Ｉ／Ｆ部４１から無線回線を介して親機３０Ｂの無線Ｉ／Ｆ部３２と無線通信を行うことにより、取り上げられたことの検出をオンフックと見なして通知する（ステップＳ１０８）。この無線子機４０Ｂからのオフフック通知に応じて、親機３０Ｂの親機制御部３９は、内線Ｉ／Ｆ部３１から内線伝送路１７を介して主装置１０の内線Ｉ／Ｆ部１３とデータ通信を行うことにより、そのオンフックを主装置１０へ通知する（ステップＳ１０９）。
【００２６】
利用者が無線子機４０Ｂのキー入力部３５によりリダイヤル操作を行うと（ステップＳ１１０）、無線子機４０Ｂの無線子機制御部４９は、そのリダイヤル操作を親機３０Ｂを介して、主装置１０に通知する（ステップＳ１１１，１１２）。
主装置１０の制御部１５は、既にステップＳ１０５で、親機３０Ａに無線子機４０Ｂが誤載置されていることを検出している。このため、無線子機４０Ｂからのリダイヤル通知を受信すると、主装置１０の制御部１５は、親機３０Ａと対として設定されている無線子機４０Ａのリダイヤルのつもりで無線子機４０Ｂでそのリダイヤル操作を行ったと判断し、無線子機４０Ａのリダイヤルデータを主装置１０の記憶部１６のリダイヤルバッファ１６Ａから検索する（ステップＳ１１３）。
【００２７】
ここで、リダイヤルバッファ１６Ａの一例を図５に示す。図５は、リダイヤルバッファ１６Ａの模式図である。
リダイヤルバッファ１６Ａは、少なくともリダイヤルデータ、すなわち発信履歴のデータと、その発信操作の操作元を示すデータとが対応づけて格納されたレコードの所定個数の集合から構成される。この構成により、それぞれの発信履歴が親機３０または子機４０のいずれによるものかを識別することが可能になる。例えば、図５に示すリダイヤルバッファ１６Ａでは、最新の発信履歴として「１２３４」が親機３０Ａによりダイヤルされ、その１つ前の発信履歴として「２３４５」が子機４０Ａによりダイヤルされたことを意味する。このようなリダイヤルバッファ１６Ａは、対として設定された親機３０と子機４０のペアごとに設けられる。
また、親機３０Ａでプリセットダイヤルを入力した後に、子機４０Ａをオフフックした場合、リダイヤルバッファ１６Ａは、同じダイヤルを親機３０Ａと子機４０Ａのそれぞれのレコードに登録する。例えば、図５では、同じダイヤル「７７７７」が親機３０Ａと子機４０Ａのそれぞれのレコードに登録されているので、「７７７７」というプリセットダイヤルが入力されたことを意味する。
【００２８】
リダイヤルバッファ１６Ａを検索し、無線子機４０Ａの最新の発信履歴「２３４５」を検出すると、主装置１０の制御部１５は、外線Ｉ／Ｆ部１２により電話回線１１を捕捉し、検出したダイヤルを網に対して発信する（ステップＳ１１４）。
【００２９】
このように、本実施の形態によれば、親機に対として設定されていない無線子機が誤載置された場合にその無線子機からリダイヤル操作が行われると、無線子機が誤載置された親機と対として設定されている無線子機のリダイヤルデータを選択して発信するため、意図しない相手先のダイヤルが発信されるなどの利用者が混乱してしまう事態を未然に防ぐことができる。
【００３０】
なお、本実施の形態において、リダイヤルバッファ１６Ａには、図５に示すような親機３０と子機４０のリダイヤルデータを区別して記憶するもののみならず、例えば親機３０と子機４０のリダイヤルデータを区別しないで記憶するもの、リダイヤルデータを１つだけ記憶するもの、親機３０と子機４０のリダイヤルデータを区別せずに１つだけ記憶するものなど、各種リダイヤルバッファを適宜自由に適用することができる。
【００３１】
次に、図６を参照して、本実施の形態にかかる電話システムにおいて、対として設定されていない無線子機が誤載置された親機でリダイヤル操作をした場合の動作について説明する。図６は本実施の形態にかかる電話システムの動作（親機リダイヤル）を示すシーケンス図である。
なお、図６において、親機４０Ａには無線子機４０Ｂが誤載置されており、この誤載置の検出方法は、上述した図４の場合（ステップＳ１００〜Ｓ１０５）と同様である。したがって、以下の説明において、図４の場合と同様の誤載置の検出方法に関しては、同じ符号を付して適宜説明を省略する。
【００３２】
親機３０Ａに無線子機４０Ｂが誤載置された状態において、利用者が親機３０Ａのキー入力部３５によりリダイヤル操作を行うと（ステップＳ２００）、親機３０Ａの親機制御部３９は、そのリダイヤル操作を、主装置１０に通知する（ステップＳ２０１）。
【００３３】
この場合、主装置１０の制御部１５は、親機３０Ａのリダイヤルデータを記憶部１６のリダイヤルバッファ１６Ａから検索し（ステップＳ２０２）、最新の発信履歴を検出すると、外線Ｉ／Ｆ部１２により電話回線１１を捕捉し、その検出したダイヤルを網に対して発信する（ステップＳ２０３）。
ここで、リダイヤルバッファ１６Ａとしては、図５に示すような親機３０と子機４０のリダイヤルデータを区別して記憶するもののみならず、例えば親機３０と子機４０のリダイヤルデータを区別しないで記憶するもの、リダイヤルデータを１つだけ記憶するもの、親機３０と子機４０のリダイヤルデータを区別せずに１つだけ記憶するもの等、各種リダイヤルバッファを適宜自由に適用することができる。
【００３４】
このように、本実施の形態によれば、親機に対として設定されていない無線子機が誤載置された場合にその親機からリダイヤル操作が行われると、その親機のリダイヤルデータを選択して発信するため、意図しない相手先のダイヤルが発信されるなどの利用者が混乱してしまう事態を未然に防ぐことができる。
【００３５】
本実施の形態において、リダイヤルバッファ１６Ａには、親機３０Ａの発信履歴と無線子機４０Ａの発信履歴とが区別して記憶される。このため、本実施の形態では、親機３０Ａに無線子機４０Ｂに誤載置されている間に無線子機４０Ａでダイヤル操作が行われても、誤載置される前の発信履歴や無線子機４０Ａの発信履歴を選択することにより、より正確なリダイヤル発信を行うことが可能になる。この場合は、リダイヤルバッファ１６Ａに時間や誤載置の検出等のデータを併せて記憶させることにより、実現することが可能となる。
【００３６】
また、本実施の形態において、主装置１０の制御部１５は、親機３０Ａに無線子機４０Ｂを誤載置した時点で、無線子機４０Ｂの最新の発信履歴を無線子機４０Ａの最新の発信履歴に置き換えるように、リダイヤルバッファ１６Ａを制御してもよい。この場合、親機３０Ａに無線子機４０Ｂが誤載置されているときに無線子機４０Ｂからリダイヤル操作が行われると、主装置１０の制御部１５は、無線子機４０Ｂのリダイヤルデータをそのまま使用する。すると、網に対しては無線子機４０Ａのリダイヤルデータが発信されるので、結果として利用者は混乱することはない。なお、この方法は、親機３０Ａに無線子機４０Ｂを誤載置して通話切断した場合等に適用するのが望ましい。
【００３７】
また、本実施の形態において、誤載置を検出する方法は、上述した方法に限定されず、各種方法を適宜自由に適用することができる。
【００３８】
また、本実施の形態において、リダイヤルバッファ１６Ａに記録されるリダイヤルデータは、外線番号のみならず、内線番号等を記録するようにしてもよい。リダイヤルデータとして内線番号が選択された場合、主装置１０の制御部１５は、内線Ｉ／Ｆ部１３を制御し、内線伝送路１７を介して、その内線番号に対応するボタン電話子機２０を呼び出す。
【図面の簡単な説明】
【００３９】
【図１】本実施の形態にかかる電話システムの構成を示すブロック図である。
【図２】親機３０の構成例である。
【図３】無線子機４０の構成例である。
【図４】本実施の形態にかかる電話システムの動作（無線子機リダイヤル）を示すシーケンス図である。
【図５】リダイヤルバッファ１６Ａの模式図である。
【図６】本実施の形態にかかる電話システムの動作（親機リダイヤル）を示すシーケンス図である。
【符号の説明】
【００４０】
１０…主装置、１１…電話回線、１２…外線Ｉ／Ｆ部、１３…内線Ｉ／Ｆ部、１４…スイッチ、１５…制御部、１６…記憶部、１６Ａ…リダイヤルバッファ、２０Ａ，２０Ｂ〜２０Ｎ…ボタン電話子機、３０，３０Ａ，３０Ｂ〜３０Ｎ…親機、３１…内線Ｉ／Ｆ部、３２…無線Ｉ／Ｆ部、３３…音声処理部、３４…表示部、３５…キー入力部、３６…記憶部、３７…給電部、３８…載置検出部、３９…親機制御部、４０，４０Ａ，４０Ｂ〜４０Ｎ…無線子機、４１…無線Ｉ／Ｆ部、４２…音声処理部、４３…電池、４４…充電部、４５…状態検出部、４６…記憶部、４７…表示部、４８…キー入力部、４９…無線子機制御部。
【図１】
2005051717.tif 000003
【図２】
2005051717.tif 000004
【図３】
2005051717.tif 000005
【図４】
2005051717.tif 000006
【図５】
2005051717.tif 000007
【図６】
2005051717.tif 000008